(57)【要約】【課題】電源立ち上げによりＥＥＰＲＯＭが書込データの消失や書替えを起こさないようにする。【解決手段】端末機器は、端末処理を実行するＣＰＵ１４と、アドレスを記憶したＥＥＰＲＯＭ１５とを備え、受信機からの呼出信号のアドレスとＥＥＰＲＯＭ１５の記憶アドレスとが一致した際に端末状態の応答信号を送出する。３端子レギュレータ１９からＥＥＰＲＯＭ１５に対する電源ラインにはトランジスタ２３が設けられ、電源立ち上げ前の状態でトランジスタ２３のオフにより３端子レギュレータ１９から切り離している。スイッチ制御部２１は、電源立ち上げ後の安定状態、例えばリセットＩＣ回路２０のＣＰＵ１４に対するリセット解除信号によりオンしてＥＥＰＲＯＭ１５の電源を立ち上げる。【選択図】　　　　　図２
2004145617.tif 000002
【特許請求の範囲】
【請求項１】
端末処理を実行するＣＰＵと、端末の動作に必要な情報を記憶したＥＥＰＲＯＭとを備え、前記ＥＥＰＲＯＭの記憶情報に基づいて受信機との伝送や監視処理を行う防災監視用端末機器に於いて、
電源レギュレータから前記ＥＥＰＲＯＭに対する電源ラインに設けられたスイッチ素子と、
前記スイッチ素子を端末機器に対する電源立ち上げ後の安定状態でオンするスイッチ制御部と、
を備えたことを特徴とする防災監視用端末機器。
【請求項２】
請求項１記載の防災監視用端末機器に於いて、前記スイッチ制御部は、電源立ち上げ後に前記ＣＰＵに出力されるリセット解除信号により前記スイッチ素子をオンさせることを特徴とする防災監視用端末機器。
【請求項３】
請求項１記載の防災監視用端末機器に於いて、前記スイッチ制御部は、電源立ち上げから所定時間後に前記ＣＰＵの所定の入出力端子から出力される信号により前記スイッチ素子をオンさせることを特徴とする防災監視用端末機器。
【請求項４】
請求項１記載の防災監視用端末機器に於いて、前記スイッチ制御部は、電源立ち上げ後に電源電圧が所定電圧以上となることを検出して前記スイッチ素子をオンさせる電圧検出回路であることを特徴とする防災監視用端末機器。
【発明の詳細な説明】
【０００１】
【発明の属する技術分野】
本発明は、端末の動作に必要な情報を記憶するＥＥＰＲＯＭを備え、ＥＥＰＲＯＭ内の端末アドレス情報などの情報を使用して監視処理する防災監視用の端末機器に関する。
【０００２】
【従来の技術】
従来、Ｒ型として知られた防災監視システムにあっては、受信機からの端末機器のアドレスを順次指定した呼出信号の送出によりポーリングを行い、端末機器に合っては予め設定された自己アドレスに一致するアドレスをもつ呼出信号を判別した際に、端末状態を示す情報を含む応答信号を受信機に送出し、これを受けて受信機で火災等の異常を集中監視している。
【０００３】
このようなＲ型の防災監視システムで使用される感知器用中継器やアナログ感知器等の端末機器にあっては、端末機器に設けたＥＥＰＲＯＭにアドレスを書き込んで記憶し、呼出信号のもつアドレスとの比較照合に使用している。
【０００４】
【発明が解決しようとする課題】
しかしながら、このような従来の防災監視用の端末機器にあっては、受信機から電源兼用伝送線により端末機器に電源を供給してシステムを立ち上げた際に、ＥＥＰＲＯＭの書込データが消失したり、書き替えられてしまうという誤動作を起こす恐れあった。
【０００５】
図５は従来の端末機器におけるＥＥＰＲＯＭとその電源回路の部分を取出した回路図である。端末機器の端子Ｓ，Ｃには受信機からの電源兼用伝送線が接続され、システム立ち上げ時に規定の電源電圧が供給される。端子Ｓ，Ｃに供給された電圧は、逆接続対応用のダイオードブリッジ１００、電流制限回路１０１を介して３端子レギュレータ１０２に加えられ、３端子レギュレータ１０２の出力から例えばＤＣ３Ｖの電源電圧がＣＰＵ１０３及びＥＥＰＲＯＭ１０４に加えられている。
【０００６】
ここで、ＥＥＰＲＯＭ１０４のデータを書き替えるためには、ＥＥＰＲＯＭ１０４に内蔵しているライトイネーブル用のＦＦが書込み状態になっている必要がある。しかし、電源立ち上げ前に、当然にＥＥＰＲＯＭ１０４には全く電源が供給されていないことから、ライトイネーブル用ＦＦが書込み状態となる訳がなく、それにも係らずライトイネーブル用のＦＦが電源立ち上げ時に書込み状態となっていることでデータ書替えが起きており、その原因が不明なため、一過性のものか継続性のあるものかの判断がつかず、適切な対応がとれないという問題があった。
【０００７】
本発明は、電源立ち上げによりＥＥＰＲＯＭが書込データの消失や書替えを起こさないようにする信頼性の高い防災監視用端末機器を提供することを目的とする。
【０００８】
【課題を解決するための手段】
この目的を達成するため本発明は次のように構成する。本発明は、端末処理を実行するＣＰＵと、端末の動作に必要な情報を記憶したＥＥＰＲＯＭとを備え、ＥＥＰＲＯＭの記憶情報に基づいて受信機との伝送や監視処理を行う防災監視用端末機器であって、電源レギュレータからＥＥＰＲＯＭに対する電源ラインに設けられたスイッチ素子と、このスイッチ素子を端末機器に対する電源立ち上げ後の安定状態でオンするスイッチ制御部とを備えたことを特徴とする。
【０００９】
本願発明者は、従来の端末機器における電源立ち上げ時にＥＥＰＲＯＭのデータ消失や書替えが起きる原因を更に検討したところ、電源供給が行われていない状態で、端末機器の３端子レギュレータから微弱な電圧が出力されており、これによってＥＥＰＲＯＭのライトイネーブル用ＦＦが電源立ち上げ前の状態で書込み状態に遷移し、そこに電源立ち上げが行われると、その時のデータ入力端子の状態を書込んでしまうことが解明できた。
【００１０】
更に電源立ち上げ前の状態で３端子レギュレータから微弱な電圧が出力される原因は、端末機器を接続している受信機からの伝送線の乗ったハム雑音が、端末機器の逆接続対応用のダイオードブリッジで整流されて３端子レギュレータに入力し、このためＥＥＰＲＯＭに微弱な電圧が出力されるという通常は予想し得ないことにあった。
【００１１】
そこで本発明にあっては、電源立ち上げ前の状態でのハム雑音に起因した電源レギュレータの微弱な電圧出力がＥＥＰＲＯＭに加わるのを防止するため、電源レギュレータの出力からＥＥＰＲＯＭの電源端子に対する電源ラインの途中にスイッチ素子を設け、電源立ち上げ前の状態でスイッチ素子のオフにより電源ラインを切り離し、ＥＥＰＲＯＭが書込み可能状態とならないようにする。
【００１２】
更に、電源投入から電圧が安定した後にスイッチ素子をオンするスイッチ制御部を設け、電源立ち上げによる電圧が不安定な常態を避けて電圧が安定した状態でＥＥＰＲＯＭの電源を立ち上げ、一過性のノイズなどによる誤動作を合わせて防止する。
【００１３】
ここでスイッチ制御部は、電源立ち上げ後にＣＰＵに出力されるリセット解除信号によりスイッチ素子をオンさせる。またスイッチ制御部は、電源立ち上げから所定時間後にＣＰＵの所定の入出力端子（Ｉ／Ｏ端子）から出力される信号によりスイッチ素子をオンさせても良い。更にスイッチ制御部は、電源電圧が所定電圧以上となることを検出してスイッチ素子をオンさせる電圧検出回路としても良い。
【００１４】
【発明の実施の形態】
図１は本発明による防災用端末機器を備えた防災監視システムの説明図である。図１において、受信機１から引き出された伝送路２に対しては、感知器用中継器３、煙アナログ感知器４、熱アナログ感知器５及びガス漏れ用中継器６が異常検出のための端末機器として接続されている。尚、各端末機器は１台ずつを例にとるが実際には１または複数台、接続される。
【００１５】
感知器用中継器３からは複数の感知器回線が引き出され、それぞれオンオフ型火災感知器８を接続している。オンオフ型火災感知器８は火災を検出すると感知器用中継器３からの感知器回線を短絡して発報電流を流し、これを感知器用中継器３で受信して火災と判断する。
【００１６】
煙アナログ感知器４は煙検出部から得られた煙濃度に対応したアナログ検出信号を受信機１に送り、受信機１側で火災の判断を行わせる。熱アナログ感知器５は熱感知部からのアナログ熱検出信号を受信機１に送って火災を判断させる。
【００１７】
ガス漏れ用中継器６にはガス漏れ検知器７が接続されており、ガス漏れ検知器７は図示しないＥＣ１００Ｖを電源とし、通常時６Ｖ、ガス漏れ検出で１２Ｖを出力し、この１２Ｖ出力でガス漏れ用中継器６がガス漏れを判断する。更に伝送路２には、必要に応じて図示しない地区ベルや防災機器などの制御負荷が制御用中継器を介して接続される。
【００１８】
受信機１にはＣＰＵを用いた監視制御部９、伝送回路１０、表示部１１、操作部１２が設けられる。受信機１の伝送回路１０は端末アドレスを指定したポーリングにより端末側の情報の収集を行う。例えば、端末側には端末アドレスとしてアドレス１〜１２７が設定されており、定常監視状態にあっては端末アドレスを順次指定して端末側を呼び出し、呼び出した端末からその時検出している端末情報を応答信号として送信させる。
【００１９】
受信機１の監視制御部９は伝送回路１０によるポーリングにより、各端末から応答送信された情報に基づいて火災やガス漏れなどの判断を行う。このうち感知器用中継器３及びガス漏れ用中継器６からの応答信号は火災またはガス漏れの有無を直接表していることから、火災またはガス漏れであれば、そのままそれぞれの異常に対応した受信制御を行う。
【００２０】
これに対し煙アナログ感知器４及び熱アナログ感知器５については、それぞれのアナログ検出情報が応答送信されることから監視制御部９側でアナログ情報を閾値と比較し火災の判断を行う。
【００２１】
受信機１からの伝送路２に接続された端末機器となる、例えば感知器用中継器３を例にとると、ここには伝送回路１３、ＣＰＵ１４、ＥＥＰＲＯＭ１５及びセンサ回路１６ａが設けられている。ＥＥＰＲＯＭ１５には予め割当てられたアドレスが書込記憶されている。ＥＥＰＲＯＭ１５の書込アドレスは電源が供給されていない状態になっても保持される不揮発メモリである。
【００２２】
伝送回路１３は受信機１からの呼出信号の受信と受信機１に対する応答信号の送信を行う。ＣＰＵ１４は伝送回路１３を介して得られた呼出信号のアドレスをＥＥＰＲＯＭ１５に記憶している自己のアドレスと比較し、アドレス一致が得られた時に自己の呼出と判断し、呼出信号のコマンドに応じた端末処理を実行する。この端末処理としては、例えばセンサ回路１６ａによるオンオフ型火災感知器８による検出状態をチェックし、この検出状態を応答信号として受信機１に送信させる。
【００２３】
煙アナログ感知器４も基本的には感知器用中継器３と同じであり、伝送回路１３、ＣＰＵ１４、ＥＥＰＲＯＭ１５を備えており、センサ回路１６ｂが煙アナログ感知器固有の煙検出部を構成している。この点は煙アナログ感知器４及びガス漏れ用中継器６についてもセンサ回路部以外は基本的に同じとなる。
【００２４】
このような防災監視システムを構築するための設備工事は、建物の施工に合わせて受信機１や端末機器を設置、更には伝送路２の布設を行い、このとき端末機器側にあってはそれぞれに設けているＥＥＰＲＯＭ１５に対しては、工場出荷の際あるいは現場施工の際に予め定められた端末アドレスの書込が行われている。
【００２５】
このようにしてシステム構築が済んだならば、システム動作を確認するための試験的なシステム立ち上げが行われる。システム立ち上げは受信機１において電源を投入すると、伝送路２を介して各端末機器に電源供給が行われ、端末機器の電源が立ち上がって動作状態となる。
【００２６】
このようなシステムの電源立ち上げ時にあって、従来は端末機器側に設けているＥＥＰＲＯＭ１５で予め記憶しているアドレスの消失や書換えが起きていたが、本発明にあってはこのような電源立ち上げ時におけるＥＥＰＲＯＭ１５のデータ書換えや消失を防止するため、図２の第１実施形態に示す端末機器の回路を設けている。
【００２７】
図２は本発明による端末機器の第１実施形態の回路図であり、ＣＰＵ１４及びＥＥＰＲＯＭ１５に対する伝送路からの電源供給系を取り出して示している。
【００２８】
図２において、受信機１からの伝送路は端子Ｓ，Ｃに接続され、端子Ｓ，Ｃに続いて逆接続対応用のダイオードブリッジ１７を設けている。ダイオードブリッジ１７の出力は電流制限回路１８を介して電源レギュレータとして機能する３端子レギュレータ１９に接続される。
【００２９】
３端子レギュレータ１９は受信機１からの規定の電源電圧を受けて、ＣＰＵ１４及びＥＥＰＲＯＭ１５の動作に必要な例えばＤＣ３の電源電圧を出力する。このため３端子レギュレータ１９の出力側となる電源ラインはＣＰＵ１４及びＥＥＰＲＯＭ１５に接続されている。
【００３０】
ここで３端子レギュレータ１９からの電源ラインのＥＥＰＲＯＭ１５に対する途中にはスイッチ回路２１が設けられる。スイッチ回路２１は３端子レギュレータ１９からの電源ラインにスイッチ素子として機能するトランジスタ２３を設けており、トランジスタ２３のベース側にドライバとして機能するインバータ２２及び抵抗Ｒ１，Ｒ２のバイアス回路を設けている。このスイッチ制御部２１のインバータ２２にはＣＰＵ１４に対し設けているリセットＩＣ回路２０の出力が接続されている。
【００３１】
次に図２の実施形態の動作を説明する。受信機１からの電源立ち上げが行われていない状態にあっては、伝送線が接続される端子Ｓ，Ｃ間に電源電圧の供給がないが、伝送路に重畳したハム雑音による雑音電圧が加わっている。
【００３２】
このためダイオードブリッジ１７はハム雑音を整流した微弱な整流電圧を出力し、電流制限回路１８を介して３端子レギュレータ１９に入力している。このためシステム立ち上げ前の状態にあっても、３端子レギュレータ１９はその出力ラインに微弱な直流電圧、例えば０．２〜０．３Ｖ程度の直流電圧を出力している。
【００３３】
しかしながら、３端子レギュレータ１９からＥＥＰＲＯＭ１５に対する電源ラインの途中にはスイッチ制御部２１が設けられ、そのトランジスタ２３のオフにより、３端子レギュレータ１９の出力とＥＥＰＲＯＭ１５の電源端子が切り離された状態にある。
【００３４】
このため、伝送路２に重畳したハム雑音による微弱な直流電圧が３端子レギュレータ１９から出力されていても、ＥＥＰＲＯＭ１５にこれが加わることはなく、微弱な電圧が加わることによりＥＥＰＲＯＭ１５に送るライトイネーブル用ＦＦが書込状態にしてしまうような誤差動作は確実に防止される。
【００３５】
一方、受信機１における電源立ち上げにより伝送路を介して端子Ｓ，Ｃ間に所定の電源電圧が印加されると、３端子レギュレータ１９は例えばＤＣ３Ｖの電源電圧をＣＰＵ１４及びＥＥＰＲＯＭ１５側に供給する。３端子レギュレータ１９の出力電圧は直接ＣＰＵ１４に加えられるが、ＣＰＵ１４はリセットＩＣ回路２０からのリセット信号によりリセット状態にあるため電源が加わっても動作を開始しない。
【００３６】
電源が立ち上がってから安定するまでの所定時間が経過すると、リセットＩＣ回路２０がリセット解除信号をＣＰＵ１４に出力し、これによって電源立ち上げ後のＣＰＵ１４の動作が開始される。
【００３７】
リセットＩＣ回路２０のリセット解除信号は同時にスイッチ制御部２１にも供給され、インバータ２２でＨレベルからＬレベルに反転され、これによってトランジスタ２３にベース電流が流れてオンし、ＥＥＰＲＯＭ１５に３端子レギュレータ１９からの電源電圧ＤＣ３Ｖが供給されて動作状態となる。
【００３８】
このように図２の第１実施形態にあっては、電源立ち上げ前の状態にあっては、ＥＥＰＲＯＭ１５をハム雑音に起因した微弱な電源電圧を出力を生じている３端子レギュレータ１９から切り離し、ハム雑音に起因した微弱な電源電圧によるＥＥＰＲＯＭ１５におけるライトイネーブル用ＦＦの書込状態への遷移などによる誤動作を防いでいる。
【００３９】
またシステム電源が立ち上がった後にあっては、ＣＰＵ１４に対するリセット解除に同期してＥＥＰＲＯＭ１５の電源立ち上げが行われ、この状態にあっては３端子レギュレータ１９の出力電圧は判定状態にあることから電圧が不安定な状態における誤動作を確実に防止できる。
【００４０】
図３は本発明による端末機器の第２実施形態の回路図である。この第２実施形態にあってはＥＥＰＲＯＭ１５に対する３端子レギュレータ１９からの電源ラインに設けたスイッチ制御部２１は図２の第１実施形態と同じであるが、スイッチ制御部２１はＣＰＵ１４における任意の空き入出力端子（Ｉ／Ｏ端子）に接続され、電源立ち上げ後のリセットＩＣ回路２０からのリセット解除信号で動作したＣＰＵ１４のプログラム制御により入出力端子からスイッチ制御信号をスイッチ制御部２１に出力し、インバータ２２を介してトランジスタ２３をオンすることで、ＥＥＰＲＯＭ１５の電源立ち上げる。
【００４１】
この図３の第２実施形態にあっても、電源立ち上げ前の状態にあっては、スイッチ制御部２１のトランジスタ２３のオフにより、３端子レギュレータ１９の出力からＥＥＰＲＯＭ１５の電源端子が切り離され、伝送路のハム雑音に起因した３端子レギュレータ１９の微弱な電源出力による誤動作を確実に防いでいる。
【００４２】
またシステム電源立ち上げ後にあっては、ＣＰＵ１４のリセット解除後の動作によるスイッチ信号でＥＥＰＲＯＭ１５に対する電源立ち上げが行われるため、この段階では電源電圧は安定した状態にあることからＥＥＰＲＯＭ１５の立ち上げ時の不安定な電圧による誤動作は確実に防止できる。
【００４３】
図４は本発明の第３実施形態の回路図である。この第３実施形態にあってはＥＥＰＲＯＭ１５の電源ラインのアース側に電圧検出回路２４とスイッチ回路２６を設けている。
【００４４】
電圧検出回路２４は電圧検出素子としてツェナーダイオード２５を使用しており、例えばツェナー電圧として３端子レギュレータ１９の出力電圧ＤＣ３Ｖより若干低い電圧を設定しておくことで、３端子レギュレータ１９の出力が規定出力電圧である３Ｖに上昇して安定する際に、ツェナーダイオード２５は電圧を検出してオンできるようにしている。
【００４５】
スイッチ回路２６には抵抗Ｒ３，Ｒ４及びトランジスタ２７が設けられ、トランジスタ２７のコレクタとエミットをＥＥＰＲＯＭ１５からのアースに対する電源ラインに接続している。
【００４６】
この実施形態の動作は、電圧検出回路２４からのツェナーダイオード２５がシステム電源立ち上げ後における３端子レギュレータ１９の出力電圧が規定出力電圧ＤＣ３Ｖに近づいて、ツェナー電圧を上回ることでオンすると、抵抗Ｒ３，Ｒ４によるベースバイアス電圧が発生して、トランジスタ２７がオンし、ＥＥＰＲＯＭ１５に３端子レギュレータ１９からの電源電圧が供給されて立ち上がる。
【００４７】
もちろん、システム電源立ち上げ前の状態にあっては、トランジスタ２７はオフであることから、ハム雑音に起因した３端子レギュレータ１９からの微弱な電圧はＥＥＰＲＯＭ１５に加わらずに切り離された状態にある。
【００４８】
尚、本実施例においては、ＥＥＰＲＯＭにアドレスを記憶したが、これに限らず端末種別や火災判断の閾値などの各端末の動作上必要な情報を記憶するようにしても良い。また本発明は上記の実施形態に限定されず、その目的と利点を損なうことのない適宜の変形を含む。
【００４９】
【発明の効果】
以上説明してきたように本発明によれば、端末機器に設けている電源レギュレータの出力からＥＥＰＲＯＭの電源端子に対する電源ラインの途中にスイッチ素子を設けたことで、電源立ち上げ前の状態でスイッチ素子のオフによりＥＥＰＲＯＭに対する電源レギュレータからの電源ラインを切り離しており、これによって電源立ち上げ前の状態で伝送路に乗ったハム雑音に起因した電源レギュレータの微弱な電圧出力がＥＥＰＲＯＭに加わることを防止し、このハム雑音に起因した微弱な電源電圧による電源立ち上げ時のＥＥＰＲＯＭの誤動作を確実に防止することができる。
【００５０】
更に電源供給から電圧が安定した後にスイッチ素子をオンするスイッチ制御部を設けたことで、電源立ち上げによる電源が不安定な状態を避けて電圧が安定した状態でＥＥＰＲＯＭの電源を立ち上げることができ、これによって一過性のノイズなどによる電源不安定な状態での誤動作を合わせて防止することができる。
【図面の簡単な説明】
【図１】本発明が適用される防災監視システムの説明図
【図２】本発明の第１実施形態を示した端末機器の回路図
【図３】本発明の第２実施形態を示した端末機器の回路図
【図４】本発明の第３実施形態を示した端末機器の回路図
【図５】従来例を示した端末機器の回路図
【符号の説明】
１：受信機
２：伝送路
３：感知器用中継器
４：煙アナログ感知器
５：熱アナログ感知器
６：ガス漏れ用中継器
７：ガス漏れ検知器
８：オンオフ型火災感知器
９：監視制御部
１０，１３：伝送回路
１１：表示部
１２：操作部
１４：ＣＰＵ
１５：ＥＥＰＲＯＭ
１６ａ，１６ｂ：センサ回路
１７：ダイオードブリッジ
１８：電流制限回路
１９：３端子レギュレータ（電源レギュレータ）
２０：リセットＩＣ回路
２１：スイッチ制御部
２２：インバータ
２３，２７：トランジスタ
２４：電圧検出回路
２５：ツェナーダイオード
２６：スイッチ回路
【図１】
2004145617.tif 000003
【図２】
2004145617.tif 000004
【図３】
2004145617.tif 000005
【図４】
2004145617.tif 000006
【図５】
2004145617.tif 000007
【手続補正書】
【提出日】平成14年10月28日(2002.10.28)
【手続補正１】
【補正対象書類名】明細書
【補正対象項目名】０００３
【補正方法】変更
【補正の内容】
【０００３】
このようなＲ型の防災監視システムで使用される感知器用中継器やアナログ感知器等の端末機器にあっては、端末機器に設けたＥＥＰＲＯＭにアドレスを書き込んで記憶し、呼出信号のもつアドレスとの比較照合に使用している。
【特許文献１】
特開平７−１６０９６５号公報
【特許文献２】
実開平３−６６４８７号公報